(57)【要約】【課題】機器コストや工事作業が新たに発生することがなく、指令受信者の操作効率化を図ることができ、指令者の運用工数を低減することのできる会議指令システムを提供する。【解決手段】指令卓４と、複数の電話機７と、指令卓４と複数の電話機７とを接続する構内交換機１とで構成される会議指令システムであって、構内交換機１は、指令卓４と指令グループ毎に収容された電話機７とが通話中状態となると、指令グループ毎に収容された電話機７の各々に通話中状態であることを表示させる手段を備え、各々の電話機７は、構内交換機１による通話中状態の表示があったときに、指令卓４から指令した通話内容をモニタする手段を備える。電話機７に対して指令卓４から構内交換機１を介して一斉指令があったときに、各々の電話機７は、指令を受けたことの確認信号を指令卓４に伝達する手段を設けることもできる。【選択図】　図２
2004096681.tif 000002
【特許請求の範囲】
【請求項１】
指令卓と、複数の電話機と、該指令卓と複数の電話機とを接続する構内交換機とで構成される会議指令システムにおいて、
前記構内交換機は、前記指令卓と指令グループ毎に収容された電話機とが通話中状態となると、該指令グループ毎に収容された電話機の各々に通話中状態であることを表示させる手段を備え、
前記各々の電話機は、前記構内交換機による前記通話中状態の表示があったときに、前記指令卓から指令した通話内容をモニタする手段を備えることを特徴とする会議指令システム。
【請求項２】
前記指令グループ毎に収容された電話機に対して前記指令卓から前記構内交換機を介して一斉指令があったときに、前記指令グループ毎に収容された各々の電話機は、該指令を受けたことの確認信号を前記指令卓に伝達する手段を備えることを特徴とする請求項１記載の会議指令システム。
【請求項３】
前記指令グループ毎に収容された電話機に対して前記指令卓から前記構内交換機を介して一斉指令があったときに、前記指令グループ毎に収容された各々の電話機は、該指令をスピーカを介して受けることを特徴とする請求項１または２記載の会議指令システム。
【発明の詳細な説明】
【０００１】
【発明の属する技術分野】
本発明は、会議指令システムに関し、特に、構内交換機の会議ライントランクを介して指令グループ毎に収容された電話機に対して一斉指令等を行なうための会議指令システムに関する。
【０００２】
【従来の技術】
会議指令システムは、回線に複数の電話機を連接することで、他の電話機の通話をモニタできる機能や、特殊信号を使用することで、一斉指令後の確認を指令者に伝達したり、電話機へのスピーカを起動した後、一斉指令放送を行うことのできるシステムである。そして、従来、構内交換機を使用した会議指令システムでは、各電話機に対して音声によって一斉指令後の確認を行い、一斉指令は、電話機の着信による呼び出しに限定されていた。
【０００３】
一方、指令電話システムは、例えば、特開昭５７−５４４６１号公報に記載のように、各指令室からの緊急連絡用等に使用され、指令電話機に対して一斉呼び出しを行うシステムである。
【０００４】
【発明が解決しようとする課題】
上記従来の会議指令システムでは、他の電話機の話中情報を表示する手段としてモニタ専用の回線を別に用意し、モニタ専用スピーカを新規に設置するため、機器コストや工事作業が新たに発生していた。また、一斉指令時は、電話機へのスピーカを起動することができないため、電話機での着信応答操作が必要となり、指令受信者の操作効率化を図ることができなかった。また、一斉指令後の指令確認においても、音声で各電話機毎に行なっているため、指令者の運用工数が増えていた。
【０００５】
そこで、本発明は、上記従来の会議指令システムにおける問題点に鑑みてなされたものであって、機器コストや工事作業が新たに発生することがなく、指令受信者の操作効率化を図ることができ、指令者の運用工数を低減することのできる会議指令システムを提供することを目的とする。
【０００６】
【課題を解決するための手段】
上記目的を達成するため、請求項１記載の発明は、指令卓と、複数の電話機と、該指令卓と複数の電話機とを接続する構内交換機とで構成される会議指令システムにおいて、前記構内交換機は、前記指令卓と指令グループ毎に収容された電話機とが通話中状態となると、該指令グループ毎に収容された電話機の各々に通話中状態であることを表示させる手段を備え、前記各々の電話機は、前記構内交換機による前記通話中状態の表示があったときに、前記指令卓から指令した通話内をモニタする手段を備えることを特徴とする。
【０００７】
そして、請求項１記載の発明によれば、構内交換機と電話機とで、通話中状態であることの表示、及び指令卓から指令した通話内容をモニタすることができるため、従来のような機器コストや工事作業が新たに発生することがない。
【０００８】
請求項２記載の発明は、請求項１記載の会議指令システムにおいて、前記指令グループ毎に収容された電話機に対して前記指令卓から前記構内交換機を介して一斉指令があったときに、前記指令グループ毎に収容された各々の電話機は、該指令を受けたことの確認信号を前記指令卓に伝達する手段を備えることを特徴とする。
【０００９】
請求項２記載の発明によれば、指令卓からの一斉指令に対して該指令を受けたことの確認信号を指令卓に伝達することができるため、指令者の運用工数を低減することができる。
【００１０】
請求項３記載の発明は、請求項１または２記載の会議指令システムにおいて、前記指令グループ毎に収容された電話機に対して前記指令卓から前記構内交換機を介して一斉指令があったときに、前記指令グループ毎に収容された各々の電話機は、該指令をスピーカを介して受けることを特徴とする。
【００１１】
請求項３記載の発明によれば、指令グループ毎に収容された各々の電話機は、指令卓からの指令をスピーカを介して受けることができるため、指令受信者の操作の効率化を図ることができる。
【００１２】
【発明の実施の形態】
次に、本発明の実施の形態について図面を参照して説明する。
【００１３】
図１は、本発明にかかる会議指令システムの一実施例を示し、この会議指令システムは、大別して、指令卓４と、構内交換機１と、電話機７とで構成される。
【００１４】
構内交換機１は、時分割スイッチ２と、中央処理装置６と、指令卓インターフェース３と、会議ライントランク５とで構成される。また、電話機７は、会議ライントランク５単位で１グループとして収容され、このグループは、連接型指令回線の１回線に相当する。
【００１５】
図２は、指令卓４、指令卓インターフェース３及び会議ライントランク５の構成を示す。
【００１６】
指令卓４は、指令卓制御部１７と指令操作パネル２０からなり、指令卓制御部１７は、指令操作パネル２０からの操作指示を受信する釦制御部１８と、音声制御部１９とで構成される。
【００１７】
指令卓インターフェース３は、指令卓制御部１７の釦制御部１８から操作指示を受信し、または指令操作パネル２０への確認表示を行なうためのコード送受信回路８と、操作指示を会議ライントランク５に送信するための制御を行なう第１のマイクロプロセッサ（ＭＰ１）９と、構内交換機１の時分割スイッチ２との通信を行なう第１のインターフェース（ＩＮＴ１）１０とで構成される。
【００１８】
会議ライントランク５は、会議通話時の通話路レベルを均等にするためのオ−トゲイン回路（ＡＧＣ回路）１１と、一斉指令時において、双方向通話を行なうためのミキシング回路１４と、時分割スイッチ２との通信を行なう第２のインターフェース（ＩＮＴ２）１２と、電話機７を収容するデジタルライン回路１５と、会議通話時の通話路をデジタルライン回路１５に接続指示する第２のマイクロプロセッサ（ＭＰ２）１３とで構成される。
【００１９】
次に、上記構成を有する会議指令システムの動作について、図１乃至図３を参照しながら説明する。
【００２０】
指令卓４と、会議ライントランク５に収容しているグループ内の電話機７とが通話中状態になると、中央処理装置６が時分割スイッチ２を経由して通話中信号を会議ライントランク５の第２のインターフェース（ＩＮＴ２）１２へ送出する。第２のインターフェース（ＩＮＴ２）１２は、第２のマイクロプロセッサ（ＭＰ２）１３を経由して通話中信号をデジタルライン回路１５に送出し、デジタルライン回路１５は、電話機７の釦に対し、ランプ表示制御指示を行なう。
【００２１】
電話機７では、点灯しているグループ話中表示釦２２（図３参照）を押すことで、会議ライントランク５のミキシング回路１４に通話路が構成され、既に通話中の内容を電話機７のスピーカからモニタすることができる。
【００２２】
指令者からの一斉放送時には、指令操作パネル２０からの一斉指令操作を指令卓制御部１７の釦制御部１８で受信し、指令卓インターフェース３のコード送受信回路８へ送信する。コード送受信回路８では第１のマイクロプロセッサ（ＭＰ１）９から第１のインターフェース（ＩＮＴ１）を経由して構内交換機１の中央処理装置６に一斉放送要求を行なう。すると、中央処理装置６では、第１のインターフェース（ＩＮＴ１）を経由して、オートゲイン回路（ＡＧＣ回路）１１へ一斉放送対象である電話機７の回線数分の通話路を接続し、ミキシング回路１４を経由してデジタルライン回路１５に接続すると同時に、一斉放送指示を第２のマイクロプロセッサ（ＭＰ２）を経由してデジタルライン回路１５に送出し、デジタルライン回路１５は、電話機７に対して一斉放送起動指示を行なう。
【００２３】
電話機７は、デジタルライン回路１５からの一斉放送起動指示を受信すると、スピーカを起動する。指令操作パネル２０では、スピーカの起動後、指令者が一斉指令を行なうと、接続された指令卓インターフェース３と会議ライントランク５の通話路を経由して電話機７のスピーカから指令音声が流れる。
【００２４】
一斉指令後、指令者が指令操作パネル２０からの指令確認操作を行なうと、指令卓制御部１７の釦制御部１８で受信し、指令卓インターフェース３のコード送受信回路８へ送信する。コード送受信回路８では、第１のマイクロプロセッサ（ＭＰ１）９から第１のインターフェース（ＩＮＴ１）１０を経由して、中央処理装置６に指令確認要求を行なう。中央処理装置６では、会議ライントランク５の第２のインターフェ―ス（ＩＮＴ２）１２へ指令確認要求を行ない、第２のマイクロプロセッサ（ＭＰ２）１３を経由し、デジタルライン回路１５に指令確認指示を行なう。デジタルライン回路１５は、電話機７の釦に対して指令確認表示を行なう。電話機７では、指令確認表示釦２３を押すと、デジタルライン回路１５を経由して第２のマイクロプロセッサ（ＭＰ２）１３へ確認応答信号を送出し、第２のインターフェース（ＩＮＴ２）１２を経由して中央処理装置６へ確認応答要求を行なう。
【００２５】
中央処理装置６では、指令卓インターフェース３の第１のインターフェース（ＩＮＴ１）１０を経由して、第１のマイクロプロセッサ（ＭＰ１）９に応答確認指示を行ない、指令卓インターフェース３のコード送受信回路８へ確認応答指示を行なう。コード送受信回路８は、指令卓制御部１７の釦制御部１８に確認応答指示を行ない、操作操作パネル２０に確認応答表示を行なう。指令者は、指令操作パネル２０の表示によって電話機７の指令確認を認識することができる。
【００２６】
【発明の効果】
以上説明したように、本発明によれば、機器コストや工事作業が新たに発生することがなく、指令受信者の操作効率化を図ることができ、指令者の運用工数を低減することのできる会議指令システムを提供することができる。
【図面の簡単な説明】
【図１】本発明にかかる会議指令システムの一実施例を示すブロック図である。
【図２】図１の会議指令システムの指令インターフェース、指令卓及び会議ライントランクの構成を示すブロック図である。
【図３】図１の電話機の釦表示内容を示す図である。
【符号の説明】
１　　　　　　構内交換機
２　　　　　　時分割スイッチ
３　　　　　　指令卓インターフェース
４　　　　　　指令卓
５　　　　　　会議ライントランク
６　　　　　　中央処理装置
７　　　　　　電話機
８　　　　　　コード送受信回路
９　　　　　　第１のマイクロプロセッサ（ＭＰ１）
１０　　　　第１のインターフェース（ＩＮＴ１）
１１　　　　オートゲイン回路（ＡＧＣ回路）
１２　　　　第２のインターフェース（ＩＮＴ２）
１３　　　　第２のマイクロプロセッサ（ＭＰ２）
１４　　　　ミキシング回路
１５　　　　デジタルライン回路
１７　　　　指令卓制御部
１８　　　　釦制御部
１９　　　　音声制御部
２０　　　　指令操作パネル
２２　　　　グループ話中表示釦
２３　　　　指令確認表示釦
【図１】
2004096681.tif 000003
【図２】
2004096681.tif 000004
【図３】
2004096681.tif 000005